(57)【要約】【課題】複数行に対して同時にアドレスを行いながら、画像全体としての誤差を最小にし、画質を一層向上させる。【解決手段】元の画像データＸ、ＳＦ１〜ＳＦ４のビット値ｄ１，ｄ２，ｄ３（またはｄ５），ｄ４（またはｄ６）、元の画像データＸとの差が最小となる表示用の画像データＹ、及び誤差δからなるデータ変換テーブル１２が予め設定される。表示装置１のデータ決定部３は、データ変換テーブル１２を用いて、所定の行数の４行毎に、元の画像データＸ１〜Ｘ４及びｄ１〜ｄ６の全ての組合せについて、表示用の画像データＹ１〜Ｙ４及びその誤差δ１〜δ４を抽出し、６４通りのΔｋ＝δ１＋δ２＋δ３＋δ４（ｋ＝０〜６３）を計算し、Δｋが最も小さくなる表示用の画像データＹ１〜Ｙ４を、元の画像データＸ１〜Ｘ４全体に対して最小の誤差を有する表示用の画像データとして特定する。【選択図】図１
2012185333.tif 000002
【特許請求の範囲】
【請求項１】
行方向及び列方向に配列した複数の画素を階調表示する際に、前記画素についての元の画像データを、ビット位置を示すサブフィールド毎のビット値からなる表示用画像データに変換し、前記画素を選択するアドレス期間と、前記選択した画素を、前記ビット位置の重みに応じた時間分前記ビット値に基づいて発光させる表示期間とからなるサブフィールドの処理により、前記表示用画像データに従って前記階調表示を行う表示装置において、
前記元の画像データ、前記元の画像データに対する複数の表示用画像データ、及び、前記元の画像データと前記表示用画像データとの間の誤差が格納されたデータ変換テーブルと、
前記データ変換テーブルを用いて、所定の行数における複数の画像データ毎に、複数の前記元の画像データと複数の前記表示用画像データとの間の誤差が最小になり、かつ、所定のサブフィールドについて、前記所定の行数内で連続する複数行のビット値が同じになるように、前記元の画像データを前記表示用画像データにそれぞれ変換し、前記表示用画像データを決定するデータ決定部と、
前記所定のサブフィールドのアドレス期間において、前記連続する複数行の画素に対して同時に走査するドライバ部と、
を備えたことを特徴とする表示装置。
【請求項２】
請求項１に記載の表示装置において、
前記データ変換テーブルは、
前記元の画像データ、前記元の画像データに対する複数の表示用画像データ、前記表示用画像データを構成する全てのサブフィールドのうちの所定のサブフィールドにおけるビット値、及び、前記元の画像データと前記表示用画像データとの間の誤差が対応して格納されている、ことを特徴とする表示装置。
【請求項３】
請求項２に記載の表示装置において、
前記データ決定部は、
前記所定の行数における元の画像データ毎に、前記データ変換テーブルに格納された所定のサブフィールドにおけるビット値に対応した、前記ビット値が同一となる前記表示用画像データ及び前記誤差を抽出し、前記抽出した誤差を合計し、前記合計した誤差が最小のときの前記所定のサブフィールドにおけるビット値及び前記表示用データを特定する、ことを特徴とする表示装置。
【請求項４】
請求項３に記載の表示装置において、
前記データ決定部により、前記データ変換テーブルを用いて、所定のサブフィールドについて連続する複数行のビット値が同じになるように表示用画像データが決定される際に、前記所定のサブフィールドのうちの第１のサブフィールドについて、ビット値が同じになる連続する行数を最大値とした場合、前記所定のサブフィールドのうちの第２のサブフィールドについて、ビット値が同じになる連続する行数を、前記最大値の約数とする、ことを特徴とする表示装置。
【請求項５】
請求項３に記載の表示装置において、
前記データ決定部により、前記データ変換テーブルを用いて、所定のサブフィールドについて連続する複数行のビット値が同じになるように表示用画像データが決定される際に、前記ビットの重みが小さいサブフィールドほど、前記連続する行数を多くする、ことを特徴とする表示装置。
【請求項６】
行方向及び列方向に配列した複数の画素を階調表示する際に、前記画素についての元の画像データを、ビット位置を示すサブフィールド毎のビット値からなる表示用画像データに変換し、前記画素を選択するアドレス期間と、前記選択した画素を、前記ビット位置の重みに応じた時間分前記ビット値に基づいて発光させる表示期間とからなるサブフィールドの処理により、前記表示用画像データに従って前記階調表示を行う方法において、
前記元の画像データ、前記元の画像データに対する複数の表示用画像データ、及び、前記元の画像データと前記表示用画像データとの間の誤差が格納されたデータ変換テーブルを用いて、所定の行数における複数の画像データ毎に、複数の前記元の画像データと複数の前記表示用画像データとの間の誤差が最小になり、かつ、所定のサブフィールドについて、前記所定の行数内で連続する複数行のビット値が同じになるように、前記元の画像データを前記表示用画像データにそれぞれ変換し、前記表示用画像データを決定するステップと、
前記所定のサブフィールドのアドレス期間において、前記連続する複数行の画素に対して同時に走査するステップと、
を有することを特徴とする表示方法。
【発明の詳細な説明】
【技術分野】
【０００１】
本発明は、プラズマディスプレイパネル（ＰＤＰ）等のマトリクス型表示装置及び表示方法において、特に、画像データを表示するフィールドを複数のサブフィールドに分割し、これらの複数のサブフィールドを足し合わせて階調表示する技術に関する。
【背景技術】
【０００２】
従来、マトリクス状に配置された電極に電圧を印加することにより、水平方向（行方向）及び垂直方向（列方向）に多数配置された画素を選択して発光させるマトリクス型表示装置が知られている。この表示装置では、画像データを表示するフィールドを複数のサブフィールドに時間的に分割し、分割したそれぞれのサブフィールドの表示時間に重み付けをし、これらのサブフィールドを足し合わせて（時間積分して）画像表示する。これにより、人の眼に映る画像の時間的な積分作用によって、階調表示を実現することができる。
【０００３】
例えば、特許文献１には、表示パネルに２５６階調の画像表示を行うために、１フィールドを８つのサブフィールドに分割し、１，２，４，８，１６，３２，６４，１２８の重み付けを各サブフィールドに持たせ、これらのサブフィールドを足し合わせることにより画像表示を行う表示装置が記載されている。
【０００４】
この表示装置は、１画素あたり８ビットの画像データを、表示パネルに２５６階調表示するにあたり、８ビットの画像データをサブフィールド１（ＳＦ１）〜サブフィールド８（ＳＦ８）までの８種類の２値の画像データに変換する。そして、変換した２値の画像データに従って、ＳＦ１〜ＳＦ８の処理をそれぞれ行うことにより、２５６階調の画像表示を行う。具体的には、ＳＦ１〜ＳＦ８について１行を同時にアドレスし、１アドレス期間で１行のデータを書き込むことにより、画像表示を行う。
【０００５】
しかしながら、この特許文献１の表示装置では、走査線数が増えて行数が増加したり、表示するビット数が多くなったりすると、アドレスする回数が増えてアドレス時間が長くなり、充分なアドレスパルス幅を取ることができなくなる。また、輝度が低下したり、フレームレートが低下したりする問題の他、ＳＦの数を増やすことができず、アドレス電極パルスの電力が増加する等の問題がある。
【０００６】
このような問題を解決するために、特許文献２には、ＳＦ１〜ＳＦ８について複数行を同時にアドレスし、１アドレス期間で複数行のデータを書き込むことにより、画像表示を行う表示装置が記載されている。この表示装置では、分割したＳＦ内で、垂直方向に隣接する複数行を同じ値に設定し、複数行を同時にアドレスするマルチラン同時走査駆動を行う。
【０００７】
図１０は、特許文献２の従来技術におけるＳＦ毎の画像データを説明する図である。従来の表示装置は、元の画像データに対し、予め設定された規則に従って、所定の複数行におけるＳＦの２値の画像データが同じになるように設定し、かつ、その行におけるフィールドの画像データと元の画像データとの間の誤差が最も小さくなるように、残りのＳＦの２値の画像データを設定する。このようにして設定されたフィールドの画像データが、元の画像データに対する変換後の画像データとなる。
【０００８】
図１０に示すように、従来の表示装置における画像データを決定（変換）するための予め設定された規則は、４ｍ〜４ｍ＋３行におけるＳＦ１の画像データを同一の画像データＤ１に決定し、４ｍ〜４ｍ＋３行におけるＳＦ２の画像データを同一の画像データＤ２に決定し、４ｍ，４ｍ＋１行におけるＳＦ３の画像データを同一の画像データＤ３に決定し、４ｍ，４ｍ＋１行におけるＳＦ４の画像データを同一の画像データＤ４に決定し、４ｍ＋２，４ｍ＋３行におけるＳＦ３の画像データを同一の画像データＤ１３に決定し、４ｍ＋２，４ｍ＋３行におけるＳＦ４の画像データを同一の画像データＤ１４に決定するものである。具体的には、４ｍ行におけるＳＦ１の画像データＤ１を基準にして、４ｍ＋１〜４ｍ＋３行におけるＳＦ１の画像データにコピーする。同様に、４ｍ行におけるＳＦ２の画像データＤ２を４ｍ＋１〜４ｍ＋３行におけるＳＦ２の画像データに、４ｍ行におけるＳＦ３の画像データＤ３を４ｍ＋１行におけるＳＦ３の画像データに、４ｍ行におけるＳＦ４の画像データＤ４を４ｍ＋１行におけるＳＦ４の画像データに、４ｍ＋２行におけるＳＦ３の画像データＤ１３を４ｍ＋３行におけるＳＦ３の画像データに、４ｍ＋２行におけるＳＦ４の画像データＤ１４を４ｍ＋３行におけるＳＦ４の画像データにそれぞれコピーする。
【０００９】
従来の表示装置は、例えば、４ｍ行の画素におけるＳＦ１〜ＳＦ８の画像データ（「Ｄ１，Ｄ２，Ｄ３，Ｄ４，Ｄ５，Ｄ６，Ｄ７，Ｄ８」／元の画像データ）を入力し、この画像データはそのまま出力する。そして、４ｍ＋１行の画素におけるＳＦ１〜ＳＦ８の画像データ（「ｄ１１，ｄ１２，ｄ１３，ｄ１４，ｄ１５，ｄ１６，ｄ１７，ｄ１８」／元の画像データ）に対し、図１０に示した規則に従って、ＳＦ１〜ＳＦ４の画像データが４ｍ行の画像におけるＳＦ１〜ＳＦ４の画像データＤ１〜Ｄ４と同じになるように決定する。すなわち、「ｄ１１」の代わりに「Ｄ１」を設定（コピー）し、「ｄ１２，ｄ１３，ｄ１４」の代わりに「Ｄ２，Ｄ３，Ｄ４」を設定する。そして、４ｍ＋１行について、画像データ「Ｄ１，Ｄ２，Ｄ３，Ｄ４，＊，＊，＊，＊」と元の画像データ「ｄ１１，ｄ１２，ｄ１３，ｄ１４，ｄ１５，ｄ１６，ｄ１７，ｄ１８」との間の誤差が最小になるように、「＊，＊，＊，＊」＝「Ｄ９，Ｄ１０，Ｄ１１，Ｄ１２」を算出し、「＊，＊，＊，＊」に設定する。このような画像データ「Ｄ１，Ｄ２，Ｄ３，Ｄ４，Ｄ９，Ｄ１０，Ｄ１１，Ｄ１２」を、元の画像データ「ｄ１１，ｄ１２，ｄ１３，ｄ１４，ｄ１５，ｄ１６，ｄ１７，ｄ１８」に対する変換後の画像データとして決定する。
【００１０】
また、従来の表示装置は、４ｍ＋２行の画素におけるＳＦ１〜ＳＦ８の画像データ（「ｄ２１，ｄ２２，ｄ２３，ｄ２４，ｄ２５，ｄ２６，ｄ２７，ｄ２８」／元の画像データ）を入力し、図１０に示した規則に従って、ＳＦ１，ＳＦ２の画像データが４ｍ列の画像におけるＳＦ１，ＳＦ２の画像データＤ１，Ｄ２と同じになるように設定する。すなわち、「ｄ２１」の代わりに「Ｄ１」を設定し、「ｄ２２」の代わりに「Ｄ２」を設定する。そして、画像データ「Ｄ１，Ｄ２，＊，＊，＊，＊，＊，＊」と元の画像データ「ｄ２１，ｄ２２，ｄ２３，ｄ２４，ｄ２５，ｄ２６，ｄ２７，ｄ２８」との間の誤差が最小になるように、「＊，＊，＊，＊，＊，＊」＝「Ｄ１３，Ｄ１４，Ｄ１５，Ｄ１６，Ｄ１７，Ｄ１８」を算出し、「＊，＊，＊，＊，＊，＊」に設定する。このような画像データ「Ｄ１，Ｄ２，Ｄ１３，Ｄ１４，Ｄ１５，Ｄ１６，Ｄ１７，Ｄ１８」を、元の画像データ「ｄ２１，ｄ２２，ｄ２３，ｄ２４，ｄ２５，ｄ２６，ｄ２７，ｄ２８」に対する変換後の画像データとして決定する。同様にして、従来の表示装置は、４ｍ＋３行の画素におけるＳＦ１〜ＳＦ８の画像データに対し、画像データ「Ｄ１，Ｄ２，Ｄ１３，Ｄ１４，Ｄ１９，Ｄ２０，Ｄ２１，Ｄ２２」を、元の画像データ「ｄ３１，ｄ３２，ｄ３３，ｄ３４，ｄ３５，ｄ３６，ｄ３７，ｄ３８」に対する変換後の画像データとして決定する。
【００１１】
この従来の表示装置によれば、４ｍ〜４ｍ＋３行の４画素については、ＳＦ１，ＳＦ２の画像データが同じであり、４ｍ，４ｍ＋１行の２画素、及び４ｍ＋２，４ｍ＋３行の２画素については、ＳＦ３，ＳＦ４の画像データが同じであるから、複数行を同時にアドレスし、１アドレス期間で複数行の同じデータを書き込むことで画像表示を行うことができる。これにより、アドレス電極パルスの電力を削減することができると共に、図１０に示したように、その行内では画像データの誤差を最小にすることができる。
【先行技術文献】
【特許文献】
【００１２】
【特許文献１】特許第３２５９２５３号公報
【特許文献２】特開２０１０−１７５６８７号公報
【発明の概要】
【発明が解決しようとする課題】
【００１３】
前述のとおり、特許文献２に記載された従来の表示装置は、元の画像データに対し、予め設定された規則に従って、所定の複数行に対し、重みの小さいビットのＳＦについて２値の画像データが同じになるように設定し、かつ、その行におけるフィールドの画像データと元の画像データとの間の誤差が最も小さくなるように、残りのＳＦについて２値の画像データを設定する。これにより、その行内における画像データの誤差は最小になる。しかしながら、この従来の表示装置では、画像全体としての誤差が最小になっておらず、画像全体として画質が劣化してしまうという問題があった。
【００１４】
そこで、本発明は前記課題を解決するためになされたものであり、その目的は、複数行に対して同時にアドレスを行いながら、画像全体としての誤差を最小にし、画質を一層向上させることが可能な表示装置及び表示方法を提供することにある。
【課題を解決するための手段】
【００１５】
前記目的を達成するために、本発明による表示装置は、行方向及び列方向に配列した複数の画素を階調表示する際に、前記画素についての元の画像データを、ビット位置を示すサブフィールド毎のビット値からなる表示用画像データに変換し、前記画素を選択するアドレス期間と、前記選択した画素を、前記ビット位置の重みに応じた時間分前記ビット値に基づいて発光させる表示期間とからなるサブフィールドの処理により、前記表示用画像データに従って前記階調表示を行う表示装置において、前記元の画像データ、前記元の画像データに対する複数の表示用画像データ、及び、前記元の画像データと前記表示用画像データとの間の誤差が格納されたデータ変換テーブルと、前記データ変換テーブルを用いて、所定の行数における複数の画像データ毎に、複数の前記元の画像データと複数の前記表示用画像データとの間の誤差が最小になり、かつ、所定のサブフィールドについて、前記所定の行数内で連続する複数行のビット値が同じになるように、前記元の画像データを前記表示用画像データにそれぞれ変換し、前記表示用画像データを決定するデータ決定部と、前記所定のサブフィールドのアドレス期間において、前記連続する複数行の画素に対して同時に走査するドライバ部と、を備えたことを特徴とする。
【００１６】
また、本発明による表示装置は、前記データ変換テーブルが、前記元の画像データ、前記元の画像データに対する複数の表示用画像データ、前記表示用画像データを構成する全てのサブフィールドのうちの所定のサブフィールドにおけるビット値、及び、前記元の画像データと前記表示用画像データとの間の誤差が対応して格納されている、ことを特徴とする。
【００１７】
また、本発明による表示装置は、前記データ決定部が、前記所定の行数における元の画像データ毎に、前記データ変換テーブルに格納された所定のサブフィールドにおけるビット値に対応した、前記ビット値が同一となる前記表示用画像データ及び前記誤差を抽出し、前記抽出した誤差を合計し、前記合計した誤差が最小のときの前記所定のサブフィールドにおけるビット値及び前記表示用データを特定する、ことを特徴とする。
【００１８】
また、本発明による表示装置は、前記データ決定部により、前記データ変換テーブルを用いて、所定のサブフィールドについて連続する複数行のビット値が同じになるように表示用画像データが決定される際に、前記所定のサブフィールドのうちの第１のサブフィールドについて、ビット値が同じになる連続する行数を最大値とした場合、前記所定のサブフィールドのうちの第２のサブフィールドについて、ビット値が同じになる連続する行数を、前記最大値の約数とする、ことを特徴とする。
【００１９】
また、本発明による表示装置は、前記データ決定部により、前記データ変換テーブルを用いて、所定のサブフィールドについて連続する複数行のビット値が同じになるように表示用画像データが決定される際に、前記ビットの重みが小さいサブフィールドほど、前記連続する行数を多くする、ことを特徴とする。
【００２０】
さらに、本発明による表示方法は、行方向及び列方向に配列した複数の画素を階調表示する際に、前記画素についての元の画像データを、ビット位置を示すサブフィールド毎のビット値からなる表示用画像データに変換し、前記画素を選択するアドレス期間と、前記選択した画素を、前記ビット位置の重みに応じた時間分前記ビット値に基づいて発光させる表示期間とからなるサブフィールドの処理により、前記表示用画像データに従って前記階調表示を行う方法において、前記元の画像データ、前記元の画像データに対する複数の表示用画像データ、及び、前記元の画像データと前記表示用画像データとの間の誤差が格納されたデータ変換テーブルを用いて、所定の行数における複数の画像データ毎に、複数の前記元の画像データと複数の前記表示用画像データとの間の誤差が最小になり、かつ、所定のサブフィールドについて、前記所定の行数内で連続する複数行のビット値が同じになるように、前記元の画像データを前記表示用画像データにそれぞれ変換し、前記表示用画像データを決定するステップと、前記所定のサブフィールドのアドレス期間において、前記連続する複数行の画素に対して同時に走査するステップと、を有することを特徴とする。
【発明の効果】
【００２１】
以上のように、本発明によれば、複数行に対して同時にアドレスを行いながら、画像全体としての誤差を最小にすることができ、画質を一層向上させることが可能となる。
【図面の簡単な説明】
【００２２】
【図１】本発明の実施形態による表示装置の構成を示すブロック図である。
【図２】駆動タイミングを説明する図である。
【図３】アドレス期間について説明する図である。
【図４】データ決定部により決定される、ＳＦ毎の表示用の画像データを説明する図である。
【図５】データ変換テーブルの構成を示す図である。
【図６】データ決定部のアルゴリズムの概要を説明する図である。
【図７】データ決定部の処理を示すフローチャートである。
【図８】データ決定部のアルゴリズムの具体例を説明する図である。
【図９】画質評価結果を説明する図である。
【図１０】従来技術におけるＳＦ毎の画像データを説明する図である。
【発明を実施するための形態】
【００２３】
以下、本発明を実施するための形態について図面を用いて詳細に説明する。
〔本発明の概要〕
本発明の実施形態による表示装置は、ＰＤＰ等の直交する行・列電極により画素を選択するマトリクス型表示装置において、元の画像データをビット毎のデータに変換してＳＦ毎のデータとし、画素を選択するアドレス期間と、選択した画素をビットの重みに応じた時間分発光させる表示期間とからなるサイクルによって、ＳＦの処理を時間的に重ねる（積分する）ことで、画像データの階調表示を行う。そして、アドレス期間を短縮するために、連続する複数行において、所定のＳＦの画像データを同値に設定し、その複数行を同時にアドレスする。また、画質の劣化を抑えるために、元の画像データと表示用の画像データとの間の誤差が小さくなるように、予め設定された所定のデータ変換テーブルを用いて、所定数の行の画像データ毎に、元の画像データを表示用の画像データに変換する。
【００２４】
このデータ変換テーブルは、元の画像データと、複数行同時走査を行うＳＦのビット値との間の全ての組合せにおいて、元の画像データと表示用の画像データとの間の誤差が前もって計算され、それらの全ての組合せのデータが収納されたテーブルである。表示装置は、表示用の画像データを決定する際に、この予め設定されたデータ変換テーブルを参照することにより、元の画像データと表示用の画像データとの間の誤差を瞬時に導出し、誤差を比較する。そして、誤差が最も小さい組合せを特定し、その組合せにおける表示用の画像データを特定する。
【００２５】
〔表示装置の構成〕
まず、本発明の実施形態による表示装置の構成について説明する。図１は、本発明の実施形態による表示装置の構成を示すブロック図である。この表示装置１は、Ｍ行×Ｎ列に配列した画素を備えたＰＤＰ等のマトリクス型表示装置であり、サブフィールド変換部２、データ決定部３、フレームメモリ４、タイミングパルス発生部５、表示パネル６、データドライバ７、維持ドライバ８、アドレス電極９、走査電極１０、維持電極１１及びデータ変換テーブル１２を備えている。尚、図１において、走査電極１０と維持電極１１とは別の電極であるが、説明を簡単にするために、便宜上同じ電極として示している。
【００２６】
サブフィールド変換部２は、１画素あたり８ビットの画像データを１画素毎に入力し、これを表示パネル６に２８＝２５６階調で表示するために、最下位ビットから最上位ビットまで、それぞれのビットのみからなる８種類の２値の画像データ（ビット値）に変換し、ＳＦ１〜ＳＦ８におけるＳＦ毎の２値の画像データをデータ決定部３に出力する。サブフィールド変換部２による変換処理は、タイミングパルス発生部５により発生するタイミング信号に基づいて行われる。
【００２７】
データ決定部３は、サブフィールド変換部２から、１画素の画像データ（元の画像データ）としてＳＦ１〜ＳＦ８におけるＳＦ毎の２値の画像データを入力する。そして、データ決定部３は、所定の行数の画像データ毎に、データ変換テーブル１２を用いて、元の画像データ（所定の行数における全体としての元の画像データ）と表示用の画像データ（所定の行数における全体としての表示用の画像データ）との間の誤差が小さくなるように、かつ、同じ重みの所定のＳＦについて隣接する行のビット値が同じになるように、元の画像データを表示用の画像データに変換し、すなわち、８ビットの元の画像データをＳＦ１〜ＳＦ８までの表示用の画像データに振り分けることで、表示用の画像データを決定し、決定した表示用の画像データを、ＳＦ１〜ＳＦ８におけるＳＦ毎の２値の画像データとしてフレームメモリ４に格納する。例えば、データ決定部３は、画像データの変換の際に、後述する図４のように、４ｍ〜４ｍ＋３行において、表示用の画像データの重みが小さいＳＦ１，ＳＦ２について、ビット値が同じｄ１，ｄ２になるように設定し、ＳＦ３，４について、４ｍ，４ｍ＋１行ではビット値が同じｄ３，ｄ４になるように、４ｍ＋２，４ｍ＋３行でもビット値が同じｄ５，ｄ６になるように、それぞれ設定する。データ決定部３による決定処理は、タイミングパルス発生部５により発生するタイミング信号に基づいて行われる。データ変換テーブル１２を参照することで、元の画像データを表示用の画像データに変換するデータ決定部３の処理の詳細については後述する。
【００２８】
フレームメモリ４は、データ決定部３により、ＳＦ１〜ＳＦ８におけるＳＦ毎の２値の画像データ（表示用の画像データ／１画素分の画像データ）が格納され、Ｍ行×Ｎ列の画素からなる１画面のフレームを単位にして画像データを記憶する。また、フレームメモリ４は、データドライバ７により、ＳＦ１〜ＳＦ８におけるサブフィールド毎の２値の画像データが１フレーム毎に読み出される。フレームメモリ４による処理は、タイミングパルス発生部５により発生するタイミング信号に基づいて行われる。
【００２９】
タイミングパルス発生部５は、１画素あたり８ビットの画像データを入力し、その入力タイミングに従って、サブフィールド変換部２、データ決定部３、フレームメモリ４、データドライバ７及び維持ドライバ８がそれぞれの処理を行うためのタイミング信号を発生する。
【００３０】
表示パネル６は、２枚のガラス板、アドレス電極９、走査電極１０、維持電極１１等を備えており、２枚のガラス板及び隔壁で仕切られた空間の放電セルが、水平方向（行方向）及び垂直方向（列方向）に配列された複数の画素として構成されている。放電セルには希ガスが封入されている。ＳＦのアドレス期間において、データドライバ７によりアドレス電極９に電圧が加わると共に、維持ドライバ８により走査電極１０に電圧が加わると、放電が起こって紫外線が発生する。隔壁には蛍光体が塗布されており、紫外線によって蛍光体が励起され、画素が発光する。また、表示期間において、維持ドライバ８により走査電極１０及び維持電極１１に交互に電圧が加わると、放電と充電とを繰り返し、画素の発光が表示期間の時間分継続する。尚、蛍光体の発光色は放電セル毎に赤、緑及び青に塗り分けられており、画像データに応じて放電セルの画素が選択され、カラー表示が行われる。
【００３１】
データドライバ７は、フレームメモリ４から、ＳＦ１〜ＳＦ８におけるＳＦ毎の２値の画像データを１フレーム分読み出す。そして、ＳＦを構成するアドレス期間において、ＳＦ毎の２値の画像データに従い、行毎かつＳＦ毎に、駆動パルス（アドレス電極パルス）をアドレス電極９に印加する。具体的には、データドライバ７は、ＳＦ１のアドレス期間において、ＳＦ１の１行目／各列の画像データに従い、それぞれのアドレス電極パルスをアドレス電極９に印加する。そして、ＳＦ１の２行目〜Ｍ行目についても同様の処理を順次行う。また、ＳＦ２〜ＳＦ８のアドレス期間においても、１行目〜Ｍ行目について同様の処理を順次行う。アドレス電極パルスの印加により、発光させる画素が選択される。
【００３２】
本発明の実施形態では、データドライバ７は、データ決定部３により同じ２値の画像データが設定されたＳＦにおける複数行に対し、同じタイミングのアドレス電極パルスをアドレス電極９に印加する。これにより、複数行を同時に走査することから、アドレス電極９に印加するアドレス電極パルスの数を減らすことができる。すなわち、アドレス走査の数を減らすことができ、アドレス期間を短くすることができると共に、アドレス電極パルスの電力を削減することができる。
【００３３】
維持ドライバ８は、サブフィールドを構成するアドレス期間において、予め設定されたタイミングにて、行毎に駆動パルス（走査電極パルス）を走査電極１０に印加する。これにより、データドライバ７からのアドレス電極パルスが同時に印加された場合、発光させる画素が選択される。また、維持ドライバ８は、ＳＦを構成する表示期間において、ＳＦ毎に異なる回数の走査電極パルスを走査電極１０に印加すると共に、走査電極パルスと対になる駆動パルス（維持電極パルス）を維持電極１１に印加する。走査電極パルス及び維持電極パルスは、交互に繰り返して印加され、ビットの重みが小さい側のＳＦほど繰り返し回数が少なく、表示期間の時間が短くなる。
【００３４】
本発明の実施形態では、維持ドライバ８は、データ決定部３により同じ２値の画像データが設定されたＳＦにおける複数行に対し、それぞれの走査電極パルスを同じタイミングで走査電極１０に印加する。これにより、複数行を同時に走査するから、アドレス走査の数を減らすことができ、アドレス期間を短くすることができる。
【００３５】
データドライバ７により印加されるアドレス電極パルス、及び維持ドライバ８により印加される走査電極パルスが同時に放電セルに与えられると、放電が起こって蛍光体が励起され、画素が発光する。これにより、アドレス期間が実行される。そして、表示期間において、維持ドライバ８により印加される走査電極パルス及び維持電極パルスが交互に放電セルに与えられると、放電と充電とが繰り返され、画素の発光が継続する。これにより、表示期間が実行される。このように、ＳＦの２値の画像データに従ってアドレス期間が実行され、アドレス期間が実行されて選択された画素は、ＳＦの重みに応じた時間長の表示期間を実行して発光する。そして、ＳＦ１からＳＦ８までのＳＦを実行することにより、画像データに応じた２５６階調の表示を行うことができる。
【００３６】
〔駆動タイミング〕
次に、駆動タイミングについて説明する。図２は、図１に示した表示装置１における駆動タイミングを説明する図であり、図３は、図２に示したＳＦを構成するアドレス期間について説明する図である。表示装置１は、後述する図４に示すように、８ビットの画像データを表示する際に、８ビットの階調を１，２，４，８，１６，３２，６４，１２８の重みを持つＳＦ１〜ＳＦ８で表示する場合、１と２の重みを持つＳＦ１，ＳＦ２の隣接する４行（４ｍ〜４ｍ＋３行目）の画像データを同じ値に設定し、隣接する４行に対して同時にアドレスを行い、４と８の重みを持つＳＦ３，ＳＦ４の隣接する２行の画像データ（４ｍ，４ｍ＋１、及び４ｍ＋２，４ｍ＋３行目）を同じ値に設定し、隣接する２行に対して同時にアドレスを行う。表示装置１は、１６，３２，６４，１２８の重みを持つＳＦ５〜ＳＦ８については従来どおり１行毎にアドレスを行う。
【００３７】
図２を参照して、１フィールドは、ＳＦ１〜ＳＦ８の８つのＳＦに分割され、各ＳＦは、アドレス期間ａ１〜ａ８及び表示期間ｂ１〜ｂ８により構成される。アドレス期間ａ１〜ａ８は全てが同じ時間長ではなく、ａ５〜ａ８の時間長が最も長く、ａ３，ａ４の時間長がａ５〜ａ８の時間長の１／２であり、ａ１，ａ２の時間長がａ５〜ａ８の時間長の１／４であることがわかる。表示期間ｂ１〜ｂ８は、表示期間ｂ１が最も短い時間長であり、表示期間ｂ８が最も長い時間長である。
【００３８】
図３を参照して、アドレス期間について詳細に説明する。横軸は経過時間を示しており、縦軸は、経過時間に対するアドレス電極パルス及び走査電極パルス４ｍ〜４ｍ＋３を示しており、これらのパルスはそれぞれの電極に印加される。ＳＦ１のアドレス期間ａ１では、ｎ列のアドレス電極パルスが連続した４行毎に同じタイミングでアドレス電極９に印加され、走査電極パルスも連続した４行毎に同じタイミングで走査電極１０に印加される。ＳＦ２のアドレス期間ａ２についても同様である。具体的には、ｎ列のアドレス電極パルスと連続した４行分の走査電極パルス４ｍ〜４ｍ＋３とが、同時にそれぞれの電極に印加される。これにより、アドレス期間ａ１，ａ２の時間長は、アドレス期間ａ５，ａ６の時間長ｔに対して１／４に短くすることができる。
【００３９】
また、ＳＦ３のアドレス期間ａ３では、ｎ列のアドレス電極パルスが連続した２行毎に同じタイミングでアドレス電極９に印加され、走査電極パルスも連続した２行毎に同じタイミングで走査電極１０に印加される。ＳＦ４のアドレス期間ａ４についても同様である。具体的には、ｎ列の第１のアドレス電極パルスと連続した２行分の走査電極パルス４ｍ，４ｍ＋１とが、同時にそれぞれの電極に印加され、ｎ列の第２のアドレス電極パルスと連続した２行分の走査電極パルス４ｍ＋２，４ｍ＋３とが、同時にそれぞれの電極に印加される。これにより、アドレス期間ａ３，ａ４の時間長は、アドレス期間ａ５，ａ６の時間長ｔに対して１／２に短くすることができる。
【００４０】
また、ＳＦ５のアドレス期間ａ５では、ｎ列のアドレス電極パルスが１行毎にアドレス電極９に印加され、走査電極パルスも１行毎に走査電極１０に印加される。ＳＦ６〜ＳＦ８のアドレス期間ａ６〜ａ８についても同様である。具体的には、アドレス電極パルスと走査電極パルス４ｍとが同時に電極に印加され、引き続き、アドレス電極パルスと走査電極パルス４ｍ＋１とが同時に印加される。走査電極パルス４ｍ＋２，４ｍ＋３についても同様である。これらのアドレス期間ａ５〜ａ８の時間長は、時間長ｔとなる。
【００４１】
このように、データドライバ７は、データ決定部３により、ＳＦ１及びＳＦ２について、同一の画像データに従い隣接する４行毎に、アドレス電極パルスをアドレス電極９に印加する。また、維持ドライバ８は、ＳＦ１及びＳＦ２について、隣接する４行毎に同じタイミングで走査電極パルスを走査電極１０に印加する。これにより、アドレス電極９に印加するアドレス電極パルスの数を１／４に減らすことができ、アドレス期間を１／４に短くすることができる。
【００４２】
同様に、データドライバ７は、データ決定部３により、ＳＦ３及びＳＦ４について、同一の画像データに従い隣接する２行毎に、アドレス電極パルスをアドレス電極９に印加する。また、維持ドライバ８は、ＳＦ３及びＳＦ４について、隣接する２行毎に同じタイミングで走査電極パルスを走査電極１０に印加する。これにより、アドレス電極９に印加するアドレス電極パルスの数を１／２に減らすことができ、アドレス期間を１／２に短くすることができる。
【００４３】
〔データ決定部〕
次に、図１に示した表示装置１のデータ決定部３について説明する。前述のとおり、データ決定部３は、所定の行数の画像データ毎に、データ変換テーブル１２を用いて、元の画像データ（所定の行数における全体としての元の画像データ）と表示用の画像データ（所定の行数における全体としての表示用の画像データ）との間の誤差が小さくなるように、かつ、同じ重みの所定のＳＦについて隣接する行のビット値が同じになるように、元の画像データを表示用の画像データに変換し、表示用の画像データを決定する。
【００４４】
図４は、データ決定部３により決定される、ＳＦ毎の表示用の画像データを説明する図である。図４に示すように、隣接する４行（４ｍ〜４ｍ＋３行目）の画像データを１単位として扱い、４行毎に全ての画素に対して同様の処理が行われる。変換単位である４行の画像データについて、元の画像データをＸ１〜Ｘ４、変換後の画像データである表示用の画像データＹ１〜Ｙ４とし、ＸｉとＹｉ（ｉ＝１〜４）との間の二乗誤差をδｉとする。
【００４５】
表示用の画像データＹ１〜Ｙ４におけるそれぞれのＳＦ１〜ＳＦ８の画像データは、変換単位（４行）毎に、元の画像データと表示用の画像データとの間の誤差が最も小さくなるように設定される。この場合、表示用の画像データＹ１〜Ｙ４は、変換単位（４行）毎に、重みが小さいＳＦ１，ＳＦ２について、ビット値が同じｄ１，ｄ２になるように設定され、ＳＦ３，４について、最初の２行ではビット値が同じｄ３，ｄ４になるように、次の２行でもビット値が同じｄ５，ｄ６になるようにそれぞれ設定される。すなわち、ビットの重みが小さいＳＦほど、ビット値が同一になる行数が多くなるように設定される。ビットの重みが小さいＳＦの画像データを変更しても、画質に与える影響がさほど大きくないから、画質劣化を抑えることができる。
【００４６】
図５は、データ決定部３がデータ変換を行う際に用いるデータ変換テーブル１２の構成を示す図である。このデータ変換テーブル１２は、表示装置１が実際に動作する前に、予め作成される。データ変換テーブル１２は、元の画像データＸ、ＳＦ１のビット値を示すｄ１、ＳＦ２のビット値を示すｄ２、ＳＦ３のビット値を示すｄ３，ｄ５、ＳＦ４のビット値を示すｄ４，ｄ６、表示用の画像データＹ、及び誤差δの各項目による構成される。元の画像データＸ及び表示用の画像データＹは０〜２５５の値であり、ｄ１〜ｄ６は０または１のビット値であり、誤差δは、元の画像データＸと表示用の画像データＹとの間の二乗誤差である。誤差δを二乗誤差とすることにより、元の画像データＸと表示用画像データＹとの間の誤差を、画像を見る人間の視覚特性に適合させることができ、二乗誤差に基づいて表示用の画像データが特定されることで、画質向上を実現することができる。
【００４７】
元の画像データＸと、ｄ１，ｄ２，ｄ３（またはｄ５），ｄ４（またはｄ６）のビット値との間の組合せは、例えば、元の画像データＸ＝０の場合、ｄ１，ｄ２，ｄ３（またはｄ５），ｄ４（またはｄ６）のビット値の組合せが２４＝１６通り存在し、元の画像データＸ＝１の場合も１６通り存在する。したがって、元の画像データＸが８ビットであって、そのデータ範囲が０〜２５５の場合、２５６×１６＝４０９６通り存在することになる。つまり、図５のデータ変換テーブル１２では、元の画像データＸに対して、４０９６通りのｄ１，ｄ２，ｄ３（またはｄ５），ｄ４（またはｄ６）のビット値の組合せが存在する。
【００４８】
そして、表示用の画像データＹは、元の画像データＸと、ＳＦ１〜ＳＦ４のビット値ｄ１，ｄ２，ｄ３（またはｄ５），ｄ４（またはｄ６）及びＳＦ５〜ＳＦ８のビット値からなる画像データとの間の差が最小となるデータが設定される。例えば、図５の（１）の箇所において、元の画像データＸ＝０、ｄ１，ｄ２，ｄ３（またはｄ５），ｄ４（またはｄ６）＝（１１００）の場合、表示用の画像データＹは、元の画像データＸ＝０との間の差が最小となるデータ、すなわち、ＳＦ５〜ＳＦ８＝０のときの画像データ＝（１１００００００）となる。つまり、表示用の画像データＹ＝３となり、誤差δ＝（０−３）２＝９となる。また、図５の（２）の箇所において、元の画像データＸ＝２５５、ｄ１，ｄ２，ｄ３（またはｄ５），ｄ４（またはｄ６）＝（１０１１）の場合、表示用の画像データＹは、元の画像データＸ＝２５５との間の差が最小となるデータ、すなわち、ＳＦ５〜ＳＦ８＝１１１１のときの画像データ＝（１０１１１１１１）となる。つまり、表示用の画像データＹ＝２５３となり、誤差δ＝（２５５−２５３）２＝４となる。
【００４９】
このように、元の画像データＸ、ＳＦ１〜ＳＦ４のビット値ｄ１，ｄ２，ｄ３（またはｄ５），ｄ４（またはｄ６）、元の画像データＸとＳＦ１〜ＳＦ４のビット値ｄ１，ｄ２，ｄ３（またはｄ５），ｄ４（またはｄ６）及びＳＦ５〜ＳＦ８のビット値からなる画像データとの間の差が最小となる表示用の画像データＹ、誤差δからなるデータ変換テーブル１２が予め設定される。
【００５０】
図６は、データ決定部３のアルゴリズムの概要を説明する図であり、図７は、データ決定部３の処理を示すフローチャートである。また、図８は、データ決定部３のアルゴリズムの具体例を説明する図である。まず、データ決定部３は、サブフィールド変換部２から、所定の４行毎に、画像データＸ１〜Ｘ４を入力し（ステップＳ７０１）、パラメータｋ＝０を設定する（ステップＳ７０２）。ここで、ｋは、ｄ１〜ｄ６の各ビット値の重みを考慮した数値である。例えば、ｋ＝０はｄ１〜ｄ６＝（００００００）を示し、ｋ＝１はｄ１〜ｄ６＝（１０００００）を示し、同様に、ｋ＝６２はｄ１〜ｄ６＝（０１１１１１）を示し、ｋ＝６３はｄ１〜ｄ６＝（１１１１１１）を示している。図８の具体例では、データ決定部３は、画像データＸ１＝４７，Ｘ２＝６０，Ｘ３＝４４，Ｘ４＝４７を入力する。
【００５１】
図６及び図７に戻って、データ決定部３は、図５に示したデータ変換テーブル１２から、元の画像データＸ＝Ｘ１，ｋ＝０（すなわち、ｄ１〜ｄ６＝（００００００））における表示用の画像データＹ＝Ｙ１及び誤差δ＝δ１を抽出し、同様に、元の画像データＸ＝Ｘ２〜Ｘ４，ｋ＝０における表示用の画像データＹ＝Ｙ２〜Ｙ４及び誤差δ＝δ２〜δ４を抽出する（ステップＳ７０３）。そして、データ決定部３は、誤差Δｋ＝δ１＋δ２＋δ３＋δ４を計算し（ステップＳ７０４）、ｋ＝ｋ＋１を計算してｄ１〜ｄ６を再設定する（ステップＳ７０５）。
【００５２】
データ決定部３は、ｋが６３よりも大きいか否か（ｋ＞６３であるか否か）を判定し（ステップＳ７０６）、ｋが６３よりも大きい（ｋ＞６３）、すなわちｋ＝６４であると判定した場合（ステップＳ７０６：Ｙ）、ステップＳ７０７へ移行する。一方、データ決定部３は、ステップＳ７０６において、ｋが６３よりも大きくない（ｋ＞６３でない）と判定した場合（ステップＳ７０６：Ｎ）、ステップＳ７０３へ移行し、新たなｋについての処理を行う。
【００５３】
図８の具体例では、データ決定部３は、ｋ＝０のとき、すなわちｄ１〜ｄ６＝（００００００）のとき、データ変換テーブル１２から、表示用の画像データＹ１＝４８，Ｙ２＝６４，Ｙ３＝４８，Ｙ４＝４８、及び誤差δ１＝１，δ２＝１６，δ３＝１６，δ４＝１を抽出し、誤差Δ０＝１＋１６＋１６＋１＝３４を計算する。同様に、データ決定部３は、ｋ＝１〜６３のときの表示用の画像データＹ１〜Ｙ４及び誤差δ１〜δ４を抽出し、誤差Δ１〜Δ６３を計算する。
【００５４】
図６及び図７に戻って、データ決定部３は、ステップＳ７０６から移行して、ｋ＝０〜６３における全ての誤差Δｋのうち、誤差Δｋが最小となるｋ＝ｋmin；（ｄ１，ｄ２，・・・，ｄ６）を特定し（ステップＳ７０７）、ｋ＝ｋminにおける表示用の画像データＹ１〜Ｙ４を特定する（ステップＳ７０８）。そして、データ決定部３は、ステップＳ７０８において特定したＹ１〜Ｙ４を、元の画像データＸ１〜Ｘ４全体に対して最小の誤差を有する表示用の画像データＹ１〜Ｙ４としてフレームメモリ４に出力する（ステップＳ７０９）。
【００５５】
図８の具体例では、データ決定部３は、誤差Δ０〜Δ６３のうちの最小の誤差Δ６１＝１０を判定し、すなわち、誤差Δｋが最小となるｋ＝ｋmin＝６１；ｄ１〜ｄ６＝（１０１１１１）を特定し、ｋ＝ｋmin＝６１のときの表示用の画像データＹ１＝４５，Ｙ２＝６１，Ｙ３＝４５，Ｙ４＝４５を特定し、フレームメモリ４に出力する。
【００５６】
データ決定部３は、図６及び図７に示した処理を、画像を構成する全ての画素に対して繰り返し行うことにより、画像を構成する全ての表示用の画像データに変換し、フレームメモリ４に出力する。
【００５７】
〔実験結果〕
次に、実験結果（コンピューターによるシミュレーションの結果）について説明する。図９は、画質評価結果を説明する図である。図９において、（１）は、従来技術による表示装置（特許文献２の表示装置）を用いた場合の画質評価結果のＰＳＮＲ（Ｐｅａｋ  Ｓｉｇｎａｌ  ｔｏ  Ｎｏｉｓｅ  Ｒａｔｉｏ）を示し、（２）は、図１に示した本発明の実施形態による表示装置１を用いた場合の画質評価結果のＰＳＮＲを示している。また、横軸の「ｋｉｓｙａ」「ｄｒａｍａ」「ｎｉｇｈｔ」はそれぞれの画像を示し、縦軸はＰＳＮＲ［ｄＢ］を示している。図９から、全ての画像において、（２）における本発明の実施形態の方が（１）の従来技術よりも、２ｄＢ程度の画質が向上していることがわかる。尚、ＰＳＮＲは、以下の式により算出した。
【数１】
2012185333.tif 000003
【００５８】
以上のように、本発明の実施形態による表示装置１によれば、元の画像データＸ、ＳＦ１〜ＳＦ４のビット値ｄ１，ｄ２，ｄ３（またはｄ５），ｄ４（またはｄ６）、元の画像データＸとＳＦ１〜ＳＦ４のビット値ｄ１，ｄ２，ｄ３（またはｄ５），ｄ４（またはｄ６）及びＳＦ５〜ＳＦ８のビット値からなる画像データとの間の差が最小となる表示用の画像データＹ、誤差δからなるデータ変換テーブル１２が予め設定され、データ決定部３が、このデータ変換テーブル１２を用いて、所定の行数である４行毎に、元の画像データＸ１〜Ｘ４及びｄ１〜ｄ６の全ての組合せについて、表示用の画像データＹ１〜Ｙ４及びその誤差δ１〜δ４を抽出し、６４通りのΔｋ＝δ１＋δ２＋δ３＋δ４（ｋ＝０〜６３）を計算し、Δｋが最も小さくなる表示用の画像データＹ１〜Ｙ４を、元の画像データＸ１〜Ｘ４全体に対して最小の誤差を有する表示用の画像データとして特定するようにした。
【００５９】
これにより、表示用の画像データＹが、所定の重みのＳＦの隣接する行について同じビット値になっているから、データドライバ７は、表示用の画像データＹの値に従って複数行を同時にアドレスすることができる。また、従来技術では、その行内において、元の画像データＸに対して誤差が最小になる表示用の画像データＹを特定するのに対し、本発明の実施形態による表示装置１では、所定の行数単位に、元の複数の画像データＸ全体に対して誤差が最小となる表示用の複数の画像データＹを特定するから、画像全体として誤差が最小になる。しかも、表示装置１では、表示用の画像データＹを特定する際に、従来技術において特定される表示用の画像データＹを含むデータ変換テーブル１２を用いるから、結果として、従来技術よりも誤差の小さい表示用の画像データＹを特定することができ、画質を向上させることができる。つまり、複数行に対して同時にアドレスを行いながら、画像全体としての誤差を最小にすることで、画質を一層向上させることができる。
【００６０】
また、本発明の実施形態による表示装置１によれば、データ決定部３が、誤差の情報を含むデータ変換テーブル１２を用いて、表示用の画像データＹ１〜Ｙ４を特定するようにした。これにより、表示用の画像データＹ１〜Ｙ４を特定するための誤差の計算を、その都度行う必要がなく、処理負荷及び処理時間を短縮することができる。
【００６１】
以上、実施形態を挙げて本発明を説明したが、本発明は前記実施形態に限定されるものではなく、その技術思想を逸脱しない範囲で種々変形可能である。例えば、前記実施形態では、表示装置１のデータ決定部３が、元の画像データＸと表示用の画像データＹとの間の二乗誤差を定義したデータ変換テーブル１２を用いるようにしたが、二乗誤差の代わりに、元の画像データＸと表示用の画像データＹとの間の差を定義したデータ変換テーブル１２を用いるようにしてもよい。
【００６２】
また、本発明は、画像データの階調数を８ビットに限定するものではなく、ビットを分散させて同じビット値を設定するＳＦをＳＦ１〜ＳＦ４に限定するものでもない。例えば、同じビット値を設定するＳＦをＳＦ１〜ＳＦ３としてもよいし、ＳＦ１〜ＳＦ５としてもよい。また、どのＳＦを複数行同時アドレスの対象にするか、及び、データ変換テーブル１２をどのようなものにするかは、前記実施形態に限定されるものではない。また、本発明は、データ決定部３によってデータ変換を行う単位を４行としたが、例えば８行としてもよい。
【００６３】
また、図４に示したＳＦ毎の表示用の画像データＹ１〜Ｙ４では、変換単位（４行）毎に、重みが小さいＳＦ１，ＳＦ２について、ビット値が同じｄ１，ｄ２になるように設定され、ＳＦ３，４について、最初の２行ではビット値が同じｄ３，ｄ４になるように、次の２行でもビット値が同じｄ５，ｄ６になるようにそれぞれ設定される。すなわち、ＳＦ１，ＳＦ２では、同じビット値が連続する行数が４であり、最大値である。これに対し、ＳＦ３，ＳＦ４では、同じビット値が連続する行数が２であり、最大値４の約数になっている。本発明では、所定の第１のＳＦについて（図４の例ではＳＦ１，ＳＦ２）、ビット値が同じになる連続する行数を最大値とした場合（図４の例では最大値４）、この第１のＳＦとは異なる第２のＳＦ（図４の例ではＳＦ３，ＳＦ４）については、ビット値が同じになる連続する行数がその最大値の約数になるように（図４の例では、ＳＦ３，ＳＦ４の行数は２）、それぞれの表示用の画像データＹを決定すればよい。
【符号の説明】
【００６４】
１  表示装置
２  サブフィールド変換部
３  データ決定部
４  フレームメモリ
５  タイミングパルス発生部
６  表示パネル
７  データドライバ
８  維持ドライバ
９  アドレス電極
１０  走査電極
１１  維持電極
１２  データ変換テーブル
【図１】
2012185333.tif 000004
【図２】
2012185333.tif 000005
【図３】
2012185333.tif 000006
【図４】
2012185333.tif 000007
【図５】
2012185333.tif 000008
【図６】
2012185333.tif 000009
【図７】
2012185333.tif 000010
【図８】
2012185333.tif 000011
【図９】
2012185333.tif 000012
【図１０】
2012185333.tif 000013